【事件の表示】
　特願２００２−１０３８０１「ドアチェーン装置」拒絶査定不服審判事件〔平成１５年１０月１５日出願公開，特開２００３−２９３６４４〕について，次のとおり審決する。
【結　論】
　本件審判の請求は，成り立たない。
【理　由】
第１　手続きの経緯 
　本願は，平成１４年４月５日の出願であって，平成２０年２月１２日付けで拒絶査定がなされ，これに対し，同年３月１９日に審判請求がなされるとともに，同年４月１８日付けで手続補正がなされたものである。 
　その後，当審において，平成２１年９月２９日付けで平成２０年４月１８日付け手続補正に対して補正の却下の決定がなされるとともに，同日付けで拒絶の理由が通知され，これに対し，平成２１年１１月３０日付けで意見書及び手続補正書が提出されたものである。
　
第２　本願発明
　本願発明は，平成２１年１１月３０日付け手続補正により補正された明細書の特許請求の範囲の請求項１及び２に記載された事項により特定されるとおりのものと認められ，そのうち，本願の請求項１に係る発明（以下「本願発明」という。）は，次のとおりのものである。
　
 「【請求項１】　受けレールのスライド溝に対し，ドアチェーンを，該ドアチェーン先端のフックボルトを介して掛け止めるドアチェーン装置において，上面にスライド溝を，両端の壁部にねじ孔を備えた伏せ椀状の受けレール本体と，両端に形成された起立片にねじ孔を備えた受けレールの底部を構成する取付プレートとにより前記受けレールを構成するとともに，該取付プレートの長手方向に所定幅の長孔を形成し，前記長孔の幅方向に掛け渡される，該長孔と直交する方向に延びる長ねじ孔を形成したねじホルダーを設け，該ねじホルダーを介して取付プレートをドアにねじ止めし，前記受けレール本体を該取付プレートを覆って配設し，受けレール本体及び取付プレートに備えられたねじ孔を介してねじ固定するようにし，かつ，前記受けレール本体のスライド溝の係止側端部に，フックボルトを挿脱する第２挿入孔を形成するとともに，ドアの開放側からドアに対して斜め方向に向けて差し込むようにしたキーの操作により第２挿入孔を選択的に閉鎖又は開放するロック機構を設けたことを特徴とするドアチェーン装置。」 
　
第３　引用刊行物とその記載事項
　刊行物１：実願昭５８−１５７８１４号（実開昭６０−６８１６１号）の
　　　　　　マイクロフィルム 
　刊行物２：実公平３−１１３３１号公報 
　刊行物３：特開２００２−３８７８４号公報 
 　　 
（１）刊行物１
　当審の拒絶の理由に引用され，本願の出願前に頒布された刊行物である上記刊行物１には，「ドアチェーン錠」に関して，次の事項が記載されている。
　
　（１ａ）「ドアに取りつけられる受け具と方立に取りつけられる掛け具とを具備し，前記掛け具のチェーン掛止孔の近傍に繋止されたチェーンを前記受け具のほぼ中央に設けられたチェーン錠止孔に掛けて施錠するようにしたドアチェーン錠において，前記受け具は，一側端にビス孔を有する折起部をまた他側端に係止部をそれぞれ形成するとともに取付手段を挿通する取付孔を備えたドア側取付板と，外周縁にフランジを突設し前記折起部のビス孔に螺着するビスの固定用ビス孔を一側端の前記フランジにまた他側の背面に前記係止部に係止される係止片をそれぞれ形成して前記ドア側取付板を覆うドア側カバーとからなり，・・・とするドアチェーン錠。」（実用新案登録請求の範囲）
　（１ｂ）「前記受け具２は，ビス３などの取付手段によってドア１に取りつけるドア側取付板４と，このドア側取付板４を覆って前記ドア側取付板４に固定されるドア側カバー５とからなっている。
　そして前記ドア側取付板４は，その一側端の外方にねじ孔６ａを設けた折起部６を，また他側端の外方に逆Ｕ字状の係止部７をそれぞれ形成するとともに，一側と他側にビス３などの取付手段を挿通する複数の取付孔８を備えた構成になっている。また，前記ドア側カバー５は，中央に鍵穴状にチェーン錠止孔１１を穿設するとともに外周縁にフランジ１２を突設し，前記折起部６のねじ孔６ａに螺着するビス９の固定用ビス孔９ａを一側端のフランジ１２に，また他側の背面に前記係止部７が係止されるＵ字状の係止片１０をそれぞれ形成した構成になっている。」（３頁１５行〜４頁１０行）
　（１ｃ）「まず，一側端を下側に，かつ他側端を上側にし，折起部６を外方に向けた受け具２を，ドア１の内側の自由端側に取りつける。すなわち，ドア側取付板４の取付孔８に，ビス３を挿通してドア１に螺着し，ドア側取付板４をドア１に取りつける。なおドアの材質が木質系の場合には，木ねじなどを使用すればよい。
　次にドア側カバー５のフランジ１２側を前記ドア側取付板４のやや下方に当接し，下から上方にすべらせて係止部７に係止片１０を係止させるとともに，ドア側カバー５のフランジ１２の一側端の内側を，ドア側取付板４の折起部６に当接し，かつねじ孔６ａと固定用ビス孔９ａを一致させ，ビス９を螺合してドア側取付板４とドア側カバー５とを固定する。
　この状態では，ドア側取付板４をドア１に取りつけるビス３や木ねじの頭がドア側カバー５に覆われ，また，ドア側取付板４とドア側カバー５とを固定するビス９も前記ドア側取付板４の一側端，すなわち下端側に位置するので，ビス３・９などの取付手段が外側から目に触れず，そのために意匠性の高いものとなり，周囲のインテリアによくマッチしたものとなる。
　また，掛け具２１についても上記の受け具２と同様に，鎖３５がチェーン錠止孔１１に掛けられるように鎖３５の長さを調節しながら方立２０に取りつければ，同様の効果が得られる。
　なお，施錠するについては従来と同様に，掛ピン３７をチェーン錠止孔１１の上部円形部に掛け，ついで下部の方形部に押し下げればよい。解錠するについては，逆の手順をとり，鎖３７をチェーン掛止孔２５に掛けておけばよい。」（５頁１６行〜７頁７行）
　（１ｄ）第１図及び第２図には，ドア側カバー５の外周縁にフランジ１２が突設され，ドア側カバー５の形状が，「伏せ椀状」であること，が開示されている。
　（１ｅ）上記（１ｃ）の記載を参酌するに，第５図には，伏せ椀状のドア側カバー５がドア側取付板４を覆って配設され，ドア側取付板４が受け具２の底部を構成すること，が開示されている。 
　
　以上の記載事項（１ａ）〜（１ｅ）及び図面の記載，並びに，技術常識を総合して判断すると，刊行物１には，次の発明が記載されているものと認められる。
　
　「受け具２のチェーン錠止孔１１に対し，チェーン３３を，該チェーン３３先端の掛ピン３７を介して掛け止めるドアチェーン錠において，上面にチェーン錠止孔１１を穿設するとともに外周縁にフランジ１２を突設し，一側端のフランジ１２に固定用ビス孔９ａ，及び他側の背面に形成された係止片１０を備えた伏せ椀状のドア側カバー５と，一側端に形成された折起部６にねじ孔６ａ，及び他側端に前記係止片１０を係止する係止部７を備えた受け具２の底部を構成するドア側取付板４とにより前記受け具２を構成するとともに，該ドア側取付板４に取付孔８を形成し，ドア側取付板４の取付孔８にビス３を挿通してドア１にねじ止めし，前記ドア側カバー５を該ドア側取付板４を覆って配設し，一側端はドア側カバー５に備えられた固定用ビス孔９ａ及びドア側取付板４に備えられたねじ孔６ａを介してビス９をねじ固定するようにし，他側は係止部７に係止片１０を係止させて固定するようにしたドアチェーン錠。」（以下，「刊行物１記載の発明」という。）
　
（２）刊行物２
　同じく上記刊行物２には，「掛け金具における台座部の取付構造」に関して，図面とともに次の事項が記載されている。
　
　（２ａ）「１ 掛け金具の台座部に形成した取付用孔の内側面において相対向する二辺に段部を形成し，段部上面にはジグザグ状凹凸部を形成してあり，上記取付用孔に挿入できる押え部材の長手方向の両端には，上記二辺のジグザグ状凹凸部に噛合できる噛合部を形成すると共に押え部材の上面には長手方向に沿つて，取付ビス挿通用の長孔を形成してあり，さらに押え部材の裏面には台座底面側へ弾力的に突出するクツシヨン材を取付けていることを特徴とする掛け金具における台座部の取付構造。
・・・」（実用新案登録請求の範囲）
　（２ｂ）「この考案は掛け金具における台座部の取付構造に関し，掛け金具の取付位置を自在に調整できると共に上記調整作業の行ない易いものを提供しようとしている。」（１欄２１〜２４行）
　（２ｃ）「第１図は窓用レバーに適用した場合であり，台座部１に回動自在に取付けた掛止体２には把持部２０および左右２個所の掛止部２１を設けてあり，上記掛止体２を回動操作して相手側の受金具に掛止部２１を掛合するものであり，図の場合には掛止体２を左右何れの方向にも回動操作できるようになつている。
　そして台座部１の両端には略長方形状の取付用孔１０，１０を貫通形成してあり，各取付用孔１０の内側面のうち長手方向の相対向する二辺には段部１１，１１が形成してあると共に，各段部１１の上面には細かな鋸歯形をなすジグザグ状凹凸部１２が形成されている。
　次に３は取付用孔１０へ挿入する押え部材であり，金属の薄板を断面コ字状に折曲形成して取付用孔１０より幅が狭い細長形状に形成してあり，左右の相対向する両側辺のうち長手方向の両端に取付用孔１０の段部１１に対応する嵌合段部３０を形成し，その外側部分を噛合部３１，３１とし，この噛合部３１，３１を取付用孔１０の両段部１１，１１上に引掛けて各ジグザグ状凹凸部１２に噛合できるようになつており，上記両端の噛合部３１，３１は薄板からなるものであるから，ジグザグ状凹凸部１２の凹溝部分に丁度嵌合できるようになつている。また押え部材３の上面中央には長手方向に沿つて取付ビスＢ挿通用の長孔３２が貫通形成されている。」（３欄２〜２８行）
　（２ｄ）「以上のごとき取付構造のうち，取付用孔１０の段部１１およびジグザグ状凹凸部１２は，取付用孔１０の短手方向に形成することもでき，・・・」（３欄４２〜４４行）
　（２ｅ）「以上のごとく構成された取付構造は，台座部１をサツシ等の取付面Ｓに当接し，受金具等に合せて位置決めした後，取付用孔１０内に押え部材３を挿入する。
　・・・
　押え部材３の左右の位置決めが終り，長孔３２内でのビスＢの前後方向への位置決めも終れば，ビスＢを取付面Ｓのネジ孔Ｎへとネジ込んでいく。すると，クツシヨン材４の両下端が内側へと曲げられ弾力的に変形しながら，押え部材３の両端の噛合部３１が台座１側のジグザグ状凹凸部１２に噛合するまで押え込まれる。
　こうして完全に押え部材３およびクツシヨン材４をビスＢにて押え込んでしまえば，台座１全体は前後左右に移動すること無く固定して取付られる。特に弾力的に変形させられたクツシヨン材４の復元力がビスＢとネジ孔Ｎの間に作用して，いわゆるバネ座金と同様の緩み止め効果を発揮する。・・・」（４欄２４行〜５欄４行）
　（２ｆ）「さらに押え部材３には長孔３２を形成しているので，前後方向へも自由に位置調整が可能であり，取付位置の融通性が非常に大きくなつている。」（５欄２３〜２５行）
　
　以上の記載事項（２ａ）〜（２ｆ）及び図面の記載，並びに，技術常識を総合して判断すると，刊行物２には，次の発明が記載されているものと認められる。
　
　「台座部１に所定幅の取付用孔１０を形成し，該取付用孔１０の幅方向に掛け渡される，該取付用孔１０と直交する方向に延びる長孔３２を形成した押え部材３を設け，該押え部材３を介して台座部１をサッシ等の取付面Ｓにねじ止めする掛け金具における台座部の取付構造であって，掛け金具の取付位置を自在に調整できるようにした台座部の取付構造。」（以下，「刊行物２記載の発明」という。）
　
（３）刊行物３ 
　同じく上記刊行物３には，「鍵付きドアチェーン」に関して，図面とともに次の事項が記載されている。
　
　（３ａ）「【特許請求の範囲】
【請求項１】ドアの内側に固定した係合金具の係止溝に，壁面側に固定したチェーンの端部に設けた係止環を係合させることにより，ドアの開放を禁止するドアチェーンであって，前記係止溝は上部に係止環を貫通させることができる開口部を備えるとともに係止溝の途中に，係止環を貫通させることができる切欠を備え，前記切欠には施錠時において前記係止溝と同じ溝幅となるように切欠を塞ぐことができる鍵体を有する鍵を取付けたことをを特徴とする鍵付きドアチェーン。
・・・」
　（３ｂ）「【０００２】
【従来の技術】・・・一般的なドアチェーンは，ドアを閉めた状態で，内側からのみチェーンの着脱ができるような構成であるため，家人が外出する際には，ドア本体に取り付けた鍵を掛けるだけで，ドアチェーンを掛けることができず戸締りが不十分であった。また，ドアチェーンがかかっている場合には，ドアの外側からドアチェーンを外すことができない・・・」
　（３ｃ）「【０００８】図１においてドアチェーン１は，係止金具２とチェーン３とを有しており，前記係止金具２は，係止溝４とその溝４の上方に形成した係止環１４を嵌合することができる開口部５を有する表部材６および前記表部材と溶接等によって結合される裏部材７とによって形成されている。表部材６は図示のように裏部材７に対して空間８を有するように形成され，その空間８内に後述する係止環１４を嵌入できるようになっている。係止溝４の途中には図２，図５に示すように係止環１４を挿入することができる切欠９が形成され，この切欠９に，切欠を塞ぎ係止溝４を連続した溝とする鍵体１０が図２，図５中，左右に移動自在に取付けられている。 
【０００９】そしてこの鍵体１０は，表部材６の立ち上がり壁面に固定した鍵１１と一体に組み付けられており，キー１２を鍵穴１３に挿入し，操作することで鍵体１０を進退させ，切欠９を塞いだり，あるいは開放したりすることができるようになっている。・・・」
　（３ｄ）「【００１２】外出するときには，鍵穴１３にキーをさし込み操作して，鍵体１０が係止溝４に形成した切欠９を開放する位置に移動する（図６参照）。この状態ではキーは鍵に差し込んだ儘である。その後，ドアを開けて外に出てから，ドアと壁体の隙間から手を入れ，係止環１４を切欠９から係止溝内に落とし込み，キーを操作して，鍵体１０を係止溝に形成した切欠９を塞ぐ方向に移動する。この状態になると，係止溝の切欠は塞がれた状態となるため，係止環を係止溝から外すことができず，ドアチェーンが掛かった状態となる。また，キーは鍵穴１３から引き抜くことができる。その後，通常とかわらぬようにドアの本体鍵をかけることにより，ドアチェーンが掛かった状態のドアとすることができる。また，帰宅時にはドア本体の鍵を開けたのち，ドアと壁体の隙間から手を入れ，キーを操作して，鍵体１０を係止溝に形成した切欠９を開放する方向に移動する。この状態になると，係止溝の切欠は開放された状態となるため，係止環を係止溝から簡単にはずすことができる。家に入った後，キーを操作して鍵体を切欠を塞ぐ方向に移動し，キーを引き抜くと，通常の使用状態に戻る。」
　（３ｅ）「【００１３】・・・また，切欠も係止溝に連続し，係止環を挿入できるものであれば，種々の切欠形状を使用することができる。・・・」
　
　以上の記載事項（３ａ）〜（３ｅ）及び図面の記載，並びに，技術常識を総合して判断すると，刊行物３には，次の発明が記載されているものと認められる。
　
　「係合金具２の係止溝４の途中に，係止環１４を挿脱する切欠９を形成するとともに，キーの操作により切欠９を選択的に閉鎖又は開放する鍵１１を設けたドアチェーンであって，ドアと壁体の隙間から手を入れ，キーによって鍵１１を操作し，係止環１４の着脱をするドアチェーン。」（以下，「刊行物３記載の発明」という。） 
　
第４　本願発明と刊行物１記載の発明の対比
　本願発明と刊行物１記載の発明とを対比すると，刊行物１記載の発明の「受け具２」が，本件発明の「受けレール」に相当し，以下同様に， 
「チェーン錠止孔１１」が「スライド溝」に， 
「チェーン３３」が「ドアチェーン」に， 
「掛ピン３７」が「フックボルト」に， 
「ドアチェーン錠」が「ドアチェーン装置」に， 
「フランジ１２」が「壁部」に， 
「固定用ビス孔９ａ」が「（受けレール本体の）ねじ孔」に， 
「ドア側カバー５」が「受けレール本体」に， 
「折起部６」が「起立片」に， 
「ねじ孔６ａ」が「（取付プレートの）ねじ孔」に， 
「ドア側取付板４」が「取付プレート」に，それぞれ相当する。 
　
　したがって両者は， 
　「受けレールのスライド溝に対し，ドアチェーンを，該ドアチェーン先端のフックボルトを介して掛け止めるドアチェーン装置において，上面にスライド溝を，壁部にねじ孔を備えた伏せ椀状の受けレール本体と，起立片にねじ孔を備えた受けレールの底部を構成する取付プレートとにより前記受けレールを構成するとともに，取付プレートをドアにねじ止めし，前記受けレール本体を該取付プレートを覆って配設し，受けレール本体及び取付プレートに備えられたねじ孔を介してねじ固定するようにしたドアチェーン装置。」 
　である点で一致し，以下の点で相違している。 
  
　（相違点１） 
　受けレール本体及び取付プレートのねじ孔が，本願発明では，両端に設けられているのに対し，刊行物１記載の発明では，一側端のみに設けられ，他側には係止片１０及び係止部７が設けられている点。 
　
　（相違点２） 
　取付プレートをドアにねじ止めするのに，本願発明では，取付プレートの長手方向に所定幅の長孔を形成し，前記長孔の幅方向に掛け渡される，該長孔と直交する方向に延びる長ねじ孔を形成したねじホルダーを設け，該ねじホルダーを介しているのに対して，刊行物１記載の発明では，長孔やねじホルダーが設けられず，単に，取付孔８にビス３を挿通している点。 
　
　（相違点３） 
　本願発明は，受けレール本体のスライド溝の係止側端部に，フックボルトを挿脱する第２挿入孔を形成するとともに，ドアの開放側からドアに対して斜め方向に向けて差し込むようにしたキーの操作により第２挿入孔を選択的に閉鎖又は開放するロック機構を設けているのに対して，刊行物１記載の発明は，このような第２挿入孔及びロック機構が設けられていない点。 
　
第５　当審の判断 
　以下，上記各相違点について検討する。 
 （相違点１について） 
　刊行物１記載の発明の受け具の他側は，係止部を係止片に係止して固定する係合構造であって，そのような構造をとる目的は，ビス９などの取付手段を外側から目に触れさせずに意匠性を高めることにあるが（上記第３の（１ｃ）参照），
　ドアチェーン装置の意匠性にどこまで配慮するかは当業者の任意決定事項であって，特に意匠性に配慮する必要がない場合に，受け具の他側においても，上記係合構造に代えて，一側端と同様にねじ固定する構造とすること，そしてそのために，受けレール本体及び取付プレートのねじ孔を両端に設けることは，当業者が適宜なし得たことである。 
　
　（相違点２について） 
　ドアチェーン装置等の建具金物を取りつけるにあたって，建具金物を位置調節可能な構造として汎用性を持たせることは，当該技術分野において一般的な課題であり，このような一般的な課題に基づいて，刊行物１記載の発明に，刊行物２記載の発明の取付用孔１０（本願発明の「長孔」に相当。以下同様。）及び押え部材３（「ねじホルダー」）の構成を適用することは，当業者が容易に想到し得たことである。
　ここで，取付用孔１０の形状や方向等は，建具金物の位置調整が可能なように，当業者が適宜選択するべき事項に過ぎないから，取付用孔１０を「取付プレートの長手方向に」形成された「所定幅の長孔」とすることは，設計的事項にすぎない。
　そうすると，刊行物１記載の発明に刊行物２記載の発明を適用して，上記相違点２に係る事項とすることは，当業者が容易に想到し得たことである。
　
　（相違点３について） 
　ドアチェーン装置においては，従来から，ドアの外側からドアチェーンの着脱をしようとする課題が存在したこと（上記第３の（３ｂ）を参照）を鑑みれば，当該課題に基づいて，刊行物１記載の発明に，刊行物３記載の発明の切欠９（本願発明の「第２挿入孔」に相当。以下同様。）及び鍵１１（「ロック機構」）を適用することは，当業者が容易に想到し得たことである。
　ここで，切欠９（「第２挿入孔」）を設ける位置は，ドアと壁体の隙間から手を入れて係止環１４（「フックボルト」）を着脱する際に，当該着脱が可能な範囲で当業者が適宜選択する事項に過ぎないから，当該位置を係止溝４（「スライド溝」）の「途中」の代わりに「端部」とすることは，設計的事項にすぎない。
　また，刊行物３記載の発明のキーは，ドアと壁体の隙間から手を入れて操作するもので，その操作がし難いことは自明であって，手が入る範囲の中でより操作のし易い方向を適宜選択することは，当業者が当然に考慮することであるから，ドアをわずかに開放した状態でキー操作をし易いように，鍵穴の位置及び鍵１１の構造を適宜決定し，キーを「ドアの開放側からドアに対して斜め方向に向けて差し込むように」することも，設計的事項に過ぎない。
　そうすると，刊行物１記載の発明に刊行物３記載の発明を適用して，上記相違点３に係る事項とすることは，当業者が容易に想到し得たことであるといわざるを得ない。
　
　そして，本願発明が奏する効果は，刊行物１〜３記載の各発明から予測可能なものであり，格別なものとはいえない。 
　
　よって，本願発明は，刊行物１〜３記載の各発明に基づいて当業者が容易に発明することができたものである。 
　
第６　むすび 
　以上のとおり，本願発明は，特許法第２９条第２項の規定により特許を受けることができないものであるから，本願の他の請求項に係る発明について検討するまでもなく，本願は拒絶されるべきである。 
　よって，結論のとおり審決する。